(57)【特許請求の範囲】
【請求項１】
車両に搭載されるバッテリに接続され、所定の電圧を出力する定電圧回路と、
前記定電圧回路を保護するためのツェナーダイオードとトランジスタとを設けたサージカット回路と、
前記定電圧回路と前記サージカット回路との間において、前記定電圧回路への出力をオン／オフ切り換えするスイッチング回路と、を備えた車両用電源回路において、
前記スイッチング回路の出力ラインと前記ツェナーダイオードとを接続するフィードバックラインを備えてなることを特徴とする車両用電源回路。
【請求項２】
前記定電圧回路は、設定情報を格納する記憶媒体を含む負荷回路へ電源供給することを特徴とする請求項１に記載の車両用電源回路。
【請求項３】
前記スイッチング回路は、車両の起動スイッチの操作に基づいて前記オン／オフ切り換えすることを特徴とする請求項１または請求項２に記載の車両用電源回路。
【発明の詳細な説明】
【技術分野】
【０００１】
本発明は、車両に搭載され、車両の電装機器のための電源回路に関する。
【背景技術】
【０００２】
車両はその電装機器の電源としてバッテリを搭載するとともに、当該バッテリの状態にかかわらず、所定の定電圧を電装機器へ供給するため電源回路を備えている。一方、電子制御装置に電源を供給するバッテリの電源ラインには、点火装置、あるいは電子制御装置で制御されるアクチュエータ、リレー、ソレノイドから発生する電磁誘導のノイズやサージが重畳することが多く、バッテリの電源ラインに発生したこれらのノイズ、サージを除去・低減して電子制御装置の誤動作や破損を防ぎ、その信頼性を向上することが重要である。
【０００３】
そこで、バッテリ電源に対して、サージ防止回路、スイッチング回路、定電圧回路（平滑回路）を順次接続する構成が用いられており、例えば、特許文献１に開示されている。これらの電源回路にあっては、サージ印加時に、サージ防止回路が機能し、スイッチング回路をオフさせて、定電圧回路を動作させない構成としていた。
【先行技術文献】
【特許文献】
【０００４】
【特許文献１】特開２００２−１７５１２４号公報
【発明の概要】
【発明が解決しようとする課題】
【０００５】
電源回路からの定電圧の供給対象となる上述した電装機器にあっては、車両利用者が所望するモードや各種設定を選択できる機能がある。例えば、車両用表示装置にあっては、パワーモードやエコモードなど運転状況を切り換える機能がある。なお、選択したモードは、設定情報として記憶媒体に格納している。
【０００６】
しかしながら、従来の電源回路では、サージ印加時（異常電圧時）に電源供給がオフするため、記憶媒体に該設定情報を記憶することができず、サージ印加毎に、初期設定に戻ってしまい、車両利用者による再設定が必要となり、煩雑なものとなってしまう問題があった。
【０００７】
また、前述問題点を解決するものとしては、記憶手段に別途専用の電源回路を設けることによって、サージ印加時であっても記憶媒体を作動させ続ける構成も考えられるが、電子部品が増え、また、配線構造など回路構成も複雑になってしまうという問題があった。
【０００８】
そこで本発明の目的とするところは、上述した課題に着目してなされ、回路構成を複雑にすることなく、サージ印加時であっても、定電圧を供給し続けることができる車両用電源回路を供給することにある。
【課題を解決するための手段】
【０００９】
本発明の車両用電源回路は、車両に搭載されるバッテリに接続され、所定の電圧を出力する定電圧回路と、前記定電圧回路を保護するためのツェナーダイオードとトランジスタとを設けたサージカット回路と、前記定電圧回路と前記サージカット回路との間において、前記定電圧回路への出力をオン／オフ切り換えするスイッチング回路と、を備えた車両用電源回路において、前記スイッチング回路の出力ラインと前記ツェナーダイオードとを接続するフィードバックラインを備えてなることを特徴とする。
【００１０】
また、前記定電圧回路は、設定情報を格納する記憶媒体を含む負荷回路へ電源供給することを特徴とする。
【００１１】
また、前記スイッチング回路は、車両の起動スイッチの操作に基づいて前記オン／オフ切り換えすることを特徴とする。
【発明の効果】
【００１２】
本発明の車両用電源回路は、車両に搭載される電装機器のための電源回路に関し、回路構成を複雑にすることなく、サージ印加時であっても、定電圧を供給し続けることができる。
【図面の簡単な説明】
【００１３】
【図１】本発明の実施の形態における電気的な構成を示す図。
【図２】同上実施の形態におけるサージ印加時の出力波形例を示す図。
【図３】同上実施の形態の別例を示す図。
【発明を実施するための形態】
【００１４】
以下、本発明が適用された実施の形態について添付図面を用いて説明する。
【００１５】
図１は、車両用計器の電源回路を含む回路構成を示す図であり、スイッチング回路１と、サージカット回路２と、定電圧回路３と、からなる電源回路と、制御手段４と、記憶手段（記憶媒体）５と、を備えている。
【００１６】
スイッチング回路１は、バッテリからの電源ラインａに接続され、車両の起動スイッチ（イグニションスイッチ）に基づいて、バッテリから供給される電源を定電圧回路３へ供給するか否かをオン／オフ切り換えするものである。
【００１７】
スイッチング回路１は、ＮＰＮ型トランジスタ１ａと、入力ラインｂにおいて起動スイッチがオン操作されたときにＮＰＮトランジスタ１ａのベース電流を制限する抵抗体１ｂと、ＮＰＮ型トランジスタ１ａのコレクタ電流を制限する抵抗体１ｃと、抵抗体１ｃとゲートが接続されるＰチャンネルＦＥＴ（電界効果トランジスタ）１ｄと、ＰチャンネルＦＥＴ１ｄのゲート・ソース間にオン電位を与える抵抗体１ｅと、を設けている。起動スイッチがオンしたときには、ＰチャンネルＦＥＴ１ｄのソース・ドレイン間が通電しバッテリと定電圧回路３とが電気的に接続される。
【００１８】
サージカット回路２は、バッテリからの電源ラインに重畳するサージを除去するためのツェナーダイオード２ａを含む回路である。また、ＰチャンネルＦＥＴ１ｄのドレインと接続する接続ライン（出力ライン）ｃから分岐してフィードバックされる電圧をカソードに接続するツェナーダイオード２ａと、ツェナーダイオード２ａに流れる電流を制限する抵抗体２ｂと、この抵抗体２ｂからベース電流が供給されるＮＰＮ型トランジスタ２ｃと、ＮＰＮ型トランジスタ２ｃのコレクタ電流を制限する抵抗体２ｄと、ＮＰＮ型トランジスタ２ｃのコレクタ電流をベースに入力することによってバッテリとＰチャンネルＦＥＴ１ｄのゲートとを通電させるＰＮＰ型トランジスタ２ｅと、を設けている。
【００１９】
なお、サージカット回路２は、ＰチャンネルＦＥＴ１ｄをオフ制御してドレイン電位が下がると、再びＰチャンネルＦＥＴ１ｄがオン制御に戻るように促すフィードバックラインｆを構成しているため、サージをカットしつつ定電圧回路３へ所定範囲の電圧を供給し続けることができ、図２に示すような、各ラインａ，ｂ，ｃの波形をなすことができる。従って、サージカット回路２によって、起動スイッチがオンされた状態で、電源ラインａや入力ラインｂにサージ電圧が印加された場合であっても、ツェナーダイオード２ａにて設定される所定電圧以上のサージをカットし、定電圧回路３の許容する電圧の上限を超えることなく、定電圧回路３へ出力することができる。
【００２０】
定電圧回路３は、ＤＣ／ＤＣコンバータ、もしくはレギュレータを適用でき、スイッチング回路１などを介して車載バッテリからの電源を入力し、負荷側の構成に適した所定電圧を生成して出力するものである。
【００２１】
制御手段４は、マイクロコンピュータを適用でき、定電圧回路３から供給される駆動電圧に基づいて作動し、入力する車両情報などに基づいて表示手段６を制御するための制御信号を生成し出力する。この場合、制御手段４は、所定プログラムや各種データの格納、演算時の記憶領域などに用いる図示しないＲＯＭやＲＡＭ等の記憶部と、前記所定プログラムに従って演算処理するためのＣＰＵと、入出力インターフェース等を設けてなり、車両利用者による操作信号や、車両の各種センサに基づく車両情報を専用ケーブルを介して入力し、これらの信号に応じて表示手段６を制御する。
【００２２】
例えば、制御手段４は、起動スイッチがオンされて駆動電圧が供給されることによって起動し、車両速度や警報、インジケータなどの車両情報を表示手段６が表示出力するように促す制御信号を出力する。
【００２３】
記憶手段５は、車両に関する各種情報や車両の作動モードなど車両利用者が選択した設定情報などを格納するための記憶媒体であり、この場合、ＥＥＰＲＯＭやフラッシュメモリなどの制御手段４に接続される外部メモリを適用している。なお、記憶手段５は、制御手段４内に設けられる記憶部を兼用することもできる。
【００２４】
表示手段６は、制御手段４からの制御信号に基づいて、車両情報などを表示するものであり、モータなどの駆動源によって回動する指針と、この指針の指示対象となる指標部によって対比判読することで計測値を表示する指針式計器や、液晶パネル、あるいは有機ＥＬパネルなどの表示デバイスを適用することができる。
【００２５】
また、図１に示す実施の形態と同様の機能を実現するために、図３に示すような回路構成を適用することもでき、スイッチング回路１０とサージカット回路２０とによって、サージをカットしつつ定電圧回路３に電圧を供給し続けることができる。
【００２６】
なお、スイッチング回路１０は、起動スイッチがオンしたときにＰチャンネルＦＥＴ１０ａのソース・ドレイン間がオンし、バッテリと定電圧回路３とが電気的に接続するものである。また、サージカット回路２０は、バッテリからの入力にサージが発生し、ＰチャンネルＦＥＴ１０ａのドレイン電位が上昇したときに、ツェナーダイオード２０ａのツェナ電圧により設定される所定の電圧にてＰチャンネルＦＥＴ１０ａをオフするように制御するものである。従って、サージを伴う入力があった場合には、図２に示す波形と同様の出力を行うことができる。
【００２７】
斯かる車両用電源回路は、車両に搭載されるバッテリに接続され、所定の電圧を出力する定電圧回路３と、定電圧回路３を保護するためのツェナーダイオード２ａとトランジスタ２ｃとを設けたサージカット回路２と、定電圧回路３とサージカット回路２との間において、定電圧回路３への出力をオン／オフ切り換えするスイッチング回路１と、を備えた車両用電源回路において、スイッチング回路１の接続ライン（出力ライン）ｃとツェナーダイオード２ａとを接続するフィードバックラインｆを備えてなる。
【００２８】
従って、回路構成を複雑にすることなく、サージ印加時（異常電圧時）であっても、定電圧を供給し続けることができる車両用電源回路となる。
【００２９】
また、定電圧回路３は、設定情報を格納する記憶手段（記憶媒体）５を含む負荷回路へ電源供給することによって、サージが印加される状況下においても情報を記憶保持することができる。
【００３０】
また、スイッチング回路１は、車両の起動スイッチの操作に基づいて前記オン／オフ切り換えすることによって、サージ対策と負荷側のオン／オフ操作との構成を兼用することができる。
【００３１】
なお、本発明を上述した実施の形態の構成にて例に挙げて説明したが、本発明はこれに限定されるものではなく、他の構成においても、本発明の要旨を逸脱しない範囲において種々の改良、並びに設計の変更が可能なことは勿論である。例えば、制御手段を介して定電圧回路と記憶手段とが接続される構成を示したが、制御手段を介さないで、記憶手段（例えば、ＳＲＡＭ）が、直接に定電圧回路からの駆動電圧によって、記憶保持する構成としても、上述した実施の形態と同等の効果を得ることができる。
【００３２】
また、上述した実施の形態におけるＮＰＮトランジスタをＮチャンネルＦＥＴに置き換えたり、ＰＮＰ型トランジスタをＰチャンネルＦＥＴに置き換えたりして構成することもできる。また、ツェナーダイオードと抵抗体は、位置を入れ替えてもよく、上述した実施の形態と同等の効果を得ることができる。
【産業上の利用可能性】
【００３３】
本発明は、車載電装機器の電源装置に関し、例えば、自動車やオートバイ、あるいは農業機械や建設機械を備えた移動体に搭載される車両用計器用の電源装置として適用できる。
【符号の説明】
【００３４】
１  スイッチング回路
１ｄ  ＰチャンネルＦＥＴ
２  サージカット回路
２ａ  ツェナーダイオード
３  定電流回路
５  記憶手段（記憶媒体）
ａ  電源ライン
ｂ  入力ライン
ｃ  接続ライン（出力ライン）
ｆ  フィードバックライン
【図１】
0005609547.tif 000002
【図２】
0005609547.tif 000003
【図３】
0005609547.tif 000004